(57)【要約】枠部、座部、及び背もたれ部を含み、ボールジョイントによって座部が枠部または背もたれ枠部の台座部に固定され、背もたれ枠部が調節可能で且つ少なくとも１つのレスト要素を備えた、着座用の家具ユニットであって、ボールジョイントのベアリング（Ａ１）が座部（１）に固定され、ボールジョイントのボール（Ａ２）がメイン枠部（２）または背もたれ枠部（３）の台座部に固定され、ボールジョイント（Ａ）の直径が１５ｃｍ未満である。【選択図】図１
2013540038.tif 000002
【特許請求の範囲】
【請求項１】
枠部、座部、及び背もたれ部を含み、ボールジョイントによって前記座部が前記枠部または前記背もたれ枠部の前記台座部に固定され、前記背もたれ枠部が調節可能で且つ少なくとも１つのレスト要素を備えた、着座用の家具ユニットであって、前記ボールジョイントのベアリング（Ａ１）が前記座部（１）に固定され、前記ボールジョイントのボール（Ａ２）が前記メイン枠部（２）または前記背もたれ枠部（３）の前記台座部に固定され、前記ボールジョイント（Ａ）の直径が１５ｃｍ未満である、着座用の家具ユニット。
【請求項２】
前記背もたれ枠部が、３つの独立した可動の要素（５）、（６）、及び（７）を備え、前記中間部のレスト（６）が、ボールジョイント（Ｃ）によって前記背もたれ枠部（４）にはめ込まれる、請求項１に記載の着座用の家具ユニット。
【請求項３】
前記レスト（５）及び前記レスト（７）の各々が、互いに平行に配置され且つ前記背もたれ枠部（４）の垂直軸に対称な２つの要素からなり、各要素が、独立して前記背もたれ枠部（４）に固定されている、請求項２に記載の着座用の家具ユニット。
【請求項４】
当該家具ユニットが、可動の２つの足置きを有する足載せ台（８）を備え、クランク機構（９）を使用して、柔軟なジョイントにより、前記足載せ枠部に連結される、請求項１から３のいずれか１項に記載の着座用の家具ユニット。
【請求項５】
持ち上がった上肢用の前記足置き（１０）が、前記背もたれ枠部（４）に固定されている、前記請求項１から４のいずれか１項に記載の着座用の家具ユニット。
【請求項６】
肘掛け部（１１）が、前記背もたれ枠部（３）の前記台座部に固定されている、請求項１から５のいずれか１項に記載の着座用の家具ユニット。
【請求項７】
ＰＣキーボード用の台または作業台（１２）が、前記背もたれ枠部（３）の前記台座部に固定され、前記台または作業台が、固定用の治具（１３）を備える、請求項１から６のいずれか１項に記載の着座用の家具ユニット。
【発明の詳細な説明】
【技術分野】
【０００１】
本発明は、着座用の家具ユニットを提供する。この家具ユニットは、身体を休めたり、オフィスワークをしたりする用途に設計されている。
【背景技術】
【０００２】
このような着座用の家具ユニットの公知のソリューションの１つが、国際公開番号ＷＯ９５／１６３７４により、国際特許出願にかかる発明に関する記載の中で開示されている。それは、枠部(the frame)が全方向に動かせるように、枠部に固定された座部を有する椅子である。この目的のために、座部は、渦巻きバネ、ボールジョイント、またはその他の適切な機構によって、枠部に取り付けられる。このような座部は、比較的大きな半径を有してヘッド全体を取り巻く円柱のくぼんだ底面に配置された球状体のヘッドに載置される。円柱の高さは、傾斜角度を決定する。加えて、この角度は、ねじ機構によって、または円柱蓋に空けた穴の直径を介して、適宜調節され得る。このような椅子は、座って仕事をする人の上半身の可動域を拡げることができる。また、椅子を使用する人の姿勢を改善することもできる。さらには、脊柱末端の神経を刺激することで、身体機能が増強される。
【０００３】
別の公知の椅子によるソリューションが、国際公開番号ＷＯ２００９１５７１４８により、発明に関する記載の中で開示されている。この中で記載されているソリューションは、その中心点が座部の上に設定された球面を形成する、下方に凸部分を有する座部を備えたロッキングチェアを含む。下方の凸面と接触する回転ローラーにより、凸部分は、球面と椅子サポート部分とに沿って動くことができる。
【０００４】
従来使用されていた着座用に設計された家具ユニットは、座る人の以下の身体の動き、即ち、傾斜、振動、ロッキングまたは運転を可能にしている。しかし、これは、単に、個々の身体部分が互いに偶然に動いているだけである。
【発明の概要】
【０００５】
本発明の目的は、一方では、座ったままで、特定の体軸の安定を確保することである。他方では、本発明の目的は、関節面、関節包、靭帯、及び筋肉にかかる負担が、胴体の回転運動により、往々にして、かつ簡単に変わることから、胴体の回転運動を制御可能にするために、体軸周囲の動きを同時に確保することである。
【０００６】
本発明によれば、着座用の家具ユニットは、メイン枠部、座部、及び背もたれ（バックレスト）枠部を含む。座部は、ボールジョイントにより、メイン枠部か、少なくとも１つの背もたれ部を備えた背もたれ枠部の調節可能な台座部に取り付けられる。着座用の家具ユニットは、ボールジョイントのベアリングが座部に固定され、ボールジョイントのボールが、メイン枠部か背もたれ枠部の台座部に取り付けられ、かつ、ボールジョイントの直径が１５ｃｍ未満であるという特徴を有する。
【０００７】
背もたれ枠部は、３つの独立した可動のレスト要素(rest elements)を備えていることが好ましく、中間部レスト要素は、ボールジョイントによって枠内にはめ込まれていてもよく、加えて、上部レスト要素と下部レスト要素は、互いに平行、かつ、背もたれ枠部の垂直軸に対称に配置された２つの独立した要素から構成され得る。
【０００８】
１つの実施形態の変形として、着座用の家具ユニットは、２つの可動の足置き(props for feet)を有する足載せ台（フットレスト）を備えていることが好ましい。足置きは、クランクアセンブリによって、足載せ台の枠部に枢動可能に連結される。加えて、背もたれ枠部の上部において、要素が固定されて、持ち上がった上肢を載せる台としての役割を果たしてもよい。
【０００９】
家具ユニットは、背もたれ枠部の台座部に取り付けられた肘掛け（アームレスト）を備えていてもよい。この台座部には、モニター用の作業台若しくは台、またはその両方の要素が固定され得る。この特定の構成により、上記のように適用された発明によれば、任意のオフィスワークを心地よく行うことが可能になる。
【００１０】
ボールジョイントの直径が小さいことによって、身体の回転軸が脊柱軸と一致し、または、ほぼ一致し、それゆえに、破壊性のある横方向力が働かなくなる。脊柱の体節間の動きが、座っている人の身体の特定の身体軸（脊柱軸、頭部の水平軸、及び骨盤の水平軸）が安定することによって、また、これらの軸周囲にて想定され得る身体の動きによって、保証される。本発明は、必要とされる安定性と動きの可能性との両方を同時に確保する。
【００１１】
人の背中が、１つまたは複数の点といった点で支えられる場合、座って仕事をしている人は、より長時間にわたって、背中を動かさない、不変位置にて心地よく寛ぐことができる。
【００１２】
可動の足置きを有する足載せ台を使用すると、人が座っている間も、下肢を継続して動かすことができ、下肢の筋肉ポンプが活発化する。これにより、静脈瘤を防ぐ。
【図面の簡単な説明】
【００１３】
本発明の主題が、本願の明細書に添付した図面に例示されている。それらは、本発明の一実施形態を示す。
【図１】図１において、着座用家具ユニットの側面が図示されている。
【図２】図２において、座部を除いた家具ユニットが図示されている。
【発明を実施するための形態】
【００１４】
着座用家具ユニットは、ジョイントにより、背もたれ部３の枠台座部に連結されたメイン枠部２を有する。このメイン枠部２の上に、座部１が配置される。座部１は、ボールジョイントＡにより、メイン枠部２に固定されるか、または、背もたれ部３の枠台座部に固定される。前記の連結は、ボールジョイントＡのベアリングＡ１が、座部１に取り付けられ、かつ、ボールジョイントＡのボールＡ２が、メイン台座部に取り付けられるか、または、背もたれ部３の枠台座部に取り付けられるようにして行われる。背もたれ部３の枠台座部は、調節可能な治具に取り付けられた肘掛け１１の他にも、もう一方の治具１３に取り付けられたコンピュータのキーボード用の作業台または台１２を有する。ＬＣＤモニターやパソコン画面用の台を支えるアームが、作業台やキーボード用台１２を固定する治具１３に取り付けられる。
【００１５】
背もたれ枠部４は、背もたれ部３の枠台座部を連結する耐久性のある連結部を有し、この２つの要素は、協働して、上下位置及び／または傾斜角度を調節する役割を果たし得る。背もたれ枠部４は、３つの独立した可動のレストを備えており、それらは、上部の頭部レスト（ヘッドレスト）５、中間部の胸あて（チェストレスト）６、下部の背もたれ部７である。中間部の胸あて６は、ボールジョイントＣにより、背もたれ枠部４に固定され、上部のレスト５と下部の背もたれ部７は、僅かに（短い距離の範囲内）前後、上下、または左右の動きが可能となるように、背もたれ枠部４に連結される。レスト要素５及び７は、バネ式の伸縮自在の機構により、背もたれ枠部４に結合され得る。背もたれ枠部４の上部には、下肢用のレスト要素１０が、治具の上に配置される。
【００１６】
足載せ台８がメイン枠部２に固定される。足載せ台８は、２つの可動の足置きを有し、この足置きは、クランクアセンブリ９を使用して、柔軟なジョイントにより足載せ台の枠部に連結される。足置きは、上下に動くことができるとともに、回転することもできる。足載せ台８は、自由に取り出すことができ、足を載せる位置に配置でき、または、使用しないときには、メイン枠部２の下に配置できるように固定される。足載せ台８は、例えばレールを使用して配置されることができ、または、伸縮自在な連結部を有することもできる。後者の場合は、足載せ台とメイン枠部２との間の距離を調節できる。
【図１】
2013540038.tif 000003
【図２】
2013540038.tif 000004
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
枠部、座部、及び背もたれ部を含み、直径が１５ｃｍ未満のボールジョイントによって前記座部が前記枠部または前記背もたれ枠部の前記台座部に固定された、着座用の家具ユニットであって、前記背もたれ部が、ボールジョイントを使用して前記背もたれ枠部（４）にはめ込まれる少なくとも１つのレスト要素を備える、着座用の家具ユニット。
【請求項２】
前記背もたれ枠部が、３つの独立した可動の要素（５）、（６）、及び（７）を備え、前記中間部のレスト（６）が、ボールジョイント（Ｃ）によって前記背もたれ枠部（４）にはめ込まれる、請求項１に記載の着座用の家具ユニット。
【請求項３】
前記レスト（５）及び前記レスト（７）の各々が、互いに平行に配置され且つ前記背もたれ枠部（４）の垂直軸に対称な２つの要素からなり、各要素が、独立して前記背もたれ枠部（４）に固定されている、請求項２に記載の着座用の家具ユニット。
【請求項４】
当該家具ユニットが、可動の２つの足置きを有する足載せ台（８）を備え、クランク機構（９）を使用して、柔軟なジョイントにより、前記足載せ枠部に連結される、請求項１から３のいずれか１項に記載の着座用の家具ユニット。
【請求項５】
持ち上がった上肢用の前記足置き（１０）が、前記背もたれ枠部（４）に固定されている、前記請求項１から４のいずれか１項に記載の着座用の家具ユニット。
【請求項６】
肘掛け部（１１）が、前記調節可能な背もたれ枠部の前記台座部に固定されている、請求項１から５のいずれか１項に記載の着座用の家具ユニット。
【請求項７】
ＰＣキーボード用の台または作業台（１２）が、前記背もたれ枠部（３）の前記台座部に固定され、前記台または作業台が、固定用の治具（１３）を備える、請求項１から６のいずれか１項に記載の着座用の家具ユニット。
【国際調査報告】
2013540038.tif 000005
2013540038.tif 000006